(57)【要約】【課題】フレーム間圧縮動画の伝送において、受信エラーを低減する。【解決手段】送信側１は、パケットを受信できなかったことを示す受信エラー信号を受信側２から受けると、それ以後、同一パケットをそれ以前より多くの個数ずつ受信側２へ向けて送信する。【選択図】  図３
2004350252.tif 000002
【特許請求の範囲】
【請求項１】
フレーム間圧縮符号化された動画像情報のパケット伝送において、
送信側は、パケットを受信できなかったことを示す受信エラー信号を受信側から受けると、
それ以後、同一パケットを複数個ずつ、該受信側へ向けて送信する、圧縮動画像情報の伝送方法。
【請求項２】
フレーム間圧縮符号化された動画像情報のパケット伝送方法であって、送信側は、ｍを２以上の整数として同一パケットをｍ個ずつ受信側へ送信している場合において、
送信側は、パケットを受信できなかったことを示す受信エラー信号を受信側から受けると、
それ以後、ｎを１以上の整数として、同一パケットを（ｍ＋ｎ）個ずつ該受信側へ向けて送信する、圧縮動画像情報の伝送方法。
【請求項３】
フレーム間圧縮符号化された動画像情報のパケット伝送において、
送信側は、パケットを受信できなかったことを示す受信エラー信号を一定頻度以上で受信側から受けると、
それ以後、同一パケットを複数個ずつ、該受信側へ向けて送信する、圧縮動画像情報の伝送方法。
【請求項４】
フレーム間圧縮符号化された動画像情報のパケット伝送方法であって、送信側は、ｍを２以上の整数として同一パケットをｍ個ずつ受信側へ送信している場合において、
送信側は、パケットを受信できなかったことを示す受信エラー信号を受信側から一定頻度以上で受けると、
それ以後、ｎを１以上の整数として、同一パケットを（ｍ＋ｎ）個ずつ該受信側へ向けて送信する、圧縮動画像情報の伝送方法。
【請求項５】
前記送信側が前記受信エラー信号を受け取ると、送信側は、該受信エラーの原因となった欠落パケットを少なくとも１個以上送信してから、同一パケットを複数個ずつ、もしくは（ｍ＋ｎ）個ずつ、該受信側へ向けて送信することを特徴とする、請求項１記載、請求項２記載、請求項３記載または請求項４記載の圧縮動画像情報の伝送方法。
【請求項６】
前記受信側は、受信したパケットの再生動作中に、以前受信済みのパケットと同一のパケットが着信したときは、到着した該パケットを再生しないことを特徴とする、請求項１記載、請求項２記載、請求項３記載、請求項４記載または請求項５記載の圧縮動画像情報の伝送方法。
【発明の詳細な説明】
【０００１】
【発明の属する技術分野】
本発明は、フレーム間圧縮符号化された動画像情報のパケット伝送おいて、パケットが欠落したときの伝送方法に係り、圧縮動画像情報の伝送方法に関する。
【０００２】
【従来の技術】
従来、フレーム間圧縮符号化された情報を含む動画像情報（以後、フレーム間圧縮動画ともいう）を、電話網やインターネットなどの通信ネットワークを介して伝送する際、伝送路上でパケットが欠損すると、すなわち、そのパケットを受信側で受け取れなかった場合、未受信情報が受信側から送信側に送られ、送信側は、そのパケットを再送していた。フレーム間圧縮動画の伝送において、パケット欠損のときに、そのパケットを再送信することは、例えば特開平９−２００７４５号公報に開示されている。
しかし、受信側でフレーム間圧縮動画のパケットを受信しながら、該動画を伸長するとともに再生する場合、パケットの欠落が起きると、再生画面が停止してしまう問題がある。なぜなら、フレーム間圧縮動画の伸長再生を続けるには、原則として、順番が次に来るフレームの情報が必要だからである。従って、従来のパケット欠落対策では、欠落パケットが再送されて来るまで、再生画像が停止するという問題点がある。
【０００３】
【特許文献１】
特開平９−２００７４５号公報
【０００４】
【発明が解決しようとする課題】
本発明に係る圧縮動画像情報の伝送方法は、上記した従来の技術が有する問題点に鑑み成されたものであり、次の課題を解決することを目的とする。
フレーム間圧縮動画の伝送において、受信側がパケットを受け取れなくなる可能性を低減する、すなわち伝送エラーないし受信エラーを低減するとともに、受信側でパケットを受信しながらそのパケットを再生する場合、再生画像がパケット欠落に起因する停止状態となることを低減し得るようにする。
【０００５】
【課題を解決するための手段】
上記課題を解決するための本発明の第１発明は、請求項１に記載されたとおりの圧縮動画像情報の伝送方法であり、次のような方法である。
フレーム間圧縮符号化された動画像情報のパケット伝送において、送信側は、パケットを受信できなかったことを示す受信エラー信号を受信側から受けると、それ以後、１つのパケット（同一のパケット）を複数個ずつ、該受信側へ向けて送信する方法である。
【０００６】
上記課題を解決するための本発明の第２発明は、請求項２に記載されたとおりの圧縮動画像情報の伝送方法であり、次のような方法である。
フレーム間圧縮符号化された動画像情報のパケット伝送方法であって、送信側は、ｍを２以上の整数としてｍ個ずつの同一パケットを受信側へ送信している場合において、送信側は、パケットを受信できなかったことを示す受信エラー信号を受信側から受けると、それ以後、ｎを１以上の整数として、同一のパケットを（ｍ＋ｎ）個ずつ該受信側へ向けて送信する方法である。
【０００７】
上記課題を解決するための本発明の第３発明は、請求項３に記載されたとおりの圧縮動画像情報の伝送方法であり、次のような方法である。
フレーム間圧縮符号化された動画像情報のパケット伝送において、送信側は、パケットを受信できなかったことを示す受信エラー信号を一定頻度以上で受信側から受けると、それ以後、同一のパケットを複数個ずつ、該受信側へ向けて送信する方法である。
【０００８】
上記課題を解決するための本発明の第４発明は、請求項４に記載されたとおりの圧縮動画像情報の伝送方法であり、次のような方法である。
フレーム間圧縮符号化された動画像情報のパケット伝送方法であって、送信側は、ｍを２以上の整数としてｍ個ずつの同一パケットを受信側へ送信している場合において、送信側は、パケットを受信できなかったことを示す受信エラー信号を受信側から一定頻度以上で受けると、それ以後、ｎを１以上の整数として、同一のパケットを（ｍ＋ｎ）個ずつ該受信側へ向けて送信する方法である。
【０００９】
上記課題を解決するための本発明の第５発明は、請求項５に記載されたとおりの圧縮動画像情報の伝送方法であり、次のような方法である。
請求項１記載、請求項２記載、請求項３記載または請求項４記載の圧縮動画像情報の伝送方法において、前記送信側が前記受信エラー信号を受け取ると、送信側は、該受信エラーの原因となった欠落パケットを少なくとも１個以上送信してから、同一のパケットを複数個ずつ、もしくは（ｍ＋ｎ）個ずつ、該受信側へ向けて送信することを特徴とする。
【００１０】
上記課題を解決するための本発明の第６発明は、請求項６に記載されたとおりので圧縮動画像情報の伝送方法あり、次のような方法である。
請求項１記載、請求項２記載、請求項３記載、請求項４記載または請求項５記載の圧縮動画像情報の伝送方法において、前記受信側は、受信したパケットの再生動作中に、以前受信済みのパケットと同一のパケットが着信したときは、到着した該パケットを再生しないことを特徴とする。
【００１１】
【発明の実施の形態】
図１は、圧縮動画像情報の伝送システムのブロック図である。
送信側１は、画像情報を含むパケットＡ〜パケットＴ、及びその他のパケット（パケットＵ以降は図示せず）を持っており、アルファベット順にパケットを１個ずつ受信側２へ向けて送信する。送信側１と受信側２との間には、通信網が介在しているけれど、図示を省略する。
受信側２は、受信したパケットを記憶媒体３に格納する。受信側２では、好きなときに記憶媒体３からパケットを読み出して伸長して再生したり、読み出したパケットを伸長せずに別の通信端末へ送信したりすることができる。また、受信側２は、送信側１から送られてくるパケットを受信しながら、その受信画像を再生することもできる。
図１は、パケットＣが行方不明、または欠落ないし欠損し、受信側２に到着しなかったとし、それを受信側２が検知し、パケットＣ受信エラー信号を送信側１に向けて送信したところである。また、図１は、パケットＤが受信側２に受信されたところであり、送信側１は、パケットＨを丁度送信しようとしているところである。
【００１２】
図２は、本発明に係る圧縮動画像情報の伝送方法の実施の瞬間の一形態を示す概念図である。
図２は、図１からほんのわずかの時間経過した時点を示している。送信側１は、パケットＣ受信エラー信号を受けたので、パケットＨからは、例えば２個ずつ同一パケットを送信するようにする。図２は、送信側１が２個目のパケットＨを今まさに送信しようとしている時点を示している。
なお、送信側１が受信エラー信号を受信側２から受けた場合、同一パケットを送信するその個数は、もちろん３個ずつでも４個ずつでもよく、受信エラー信号を受信する頻度に応じてその個数を増減させてもよい。すなわち、送信側１は、受信エラー信号受信の頻度に応じて、ある時点から２個ずつの同一パケットを送信し、別のある時点からは３個ずつの同一パケットを送信し、そのまた別のある時点からは２個ずつの同一パケットを送信する、という送信方法を取ることができる。
【００１３】
図３は、本発明に係る圧縮動画像情報の伝送方法の実施の一形態を示す概念図である。また、図４は、本発明に係る圧縮動画像情報の伝送方法の別の実施の一形態を示す概念図である。
図３及び図４は、図２で示す時点から、ある時間が経過した時点を示している。
送信側１は、パケットＡ、パケットＢ、パケットＤからパケットＧまでは、１個ずつパケットを送信したので、受信側２の記憶媒体３にそれらのパケットが１個ずつ格納されている。送信側１は、パケットＣも送信したけれど、パケットＣは、何らかの事情で受信側２に到着しなかったので、記憶媒体３に格納されていない。
送信側１は、図１で示す受信エラー信号を受信し、図２で示すようにパケットＨからは、同一パケットを２個ずつ送信するので、受信側２では、図３に示すように、パケットＨから以降は、同一パケットを２個ずつ格納していく。ただし、図４に示すように、送信側１が同一パケットを複数個ずつ送信しても、受信側２の記憶媒体３には、１個ずつのパケットを書き込む方法でもよい。図４の破線で囲まれたパケットＩは、受信側２に２個目に到着したパケットＩなので、破棄するか、もしくは記憶媒体３に格納しないことを示している。
【００１４】
図５は、圧縮動画像情報の伝送において、伝送エラーが発生する状態を示す模式図である。
図５では、送信側１は、同一のパケットを２個ずつ送信し、受信側２では、記憶媒体３にパケットを複数ではなく１個ずつ格納することを示している。
そして、パケットＪが２個とも受信側２に到着しないであろうことを示している。図５に示す時点からしばらく経過すると、受信側２は、パケットＪ受信エラー信号を送信側１へ送信し、送信側１は、そのことを検出するであろう。
【００１５】
図６は、本発明に係る圧縮動画像情報の伝送方法のさらに別の実施の一形態を示す概念図である。
図６は、図５で示す時点からしばらく経過するとともに、送信側１がパケットＪ受信エラー信号（図示せず）を受信して、パケットＬからは、同一パケットを３個ずつ送信しているところを示したものである。もちろん、送信側１が送信する同一パケットは、４個ずつでも５個ずつでもよい。また、受信側２は、複数個到着する同一パケットについては、少なくとも１個のパケットを記憶媒体３に格納すればよいことは、上述の場合と同様である。
【００１６】
図７は、本発明に係る圧縮動画像情報の伝送方法における欠落パケットの再送信方法の実施の一形態を示す概念図である。また、図８は、本発明に係る圧縮動画像情報の伝送方法における欠落パケットの再送信方法の別の実施の一形態を示す概念図である。
図１、そして図２に示す時点の後で、送信側１は、欠落パケットであるパケットＣを再送信してもよい。この場合、送信側１は、図７に示すようにパケットＣを１個送信してもよいし、図８に示すようにパケットＣを２個送信してもよい。
パケットＣを再送しておけば、受信側２において、後で、パケットＡから順に画像を再生するときに役に立つ。
【００１７】
なお、受信側１は、従来技術を使い、受信したパケットを記憶媒体３に格納しながら再生することができる。本発明では、その再生動作中に、以前受信済み、すなわち再生済みのパケットと同一のパケットが着信してくることがあり得る。そういう場合、到着した該パケットを再生しないことが望ましい。再生画像の順番が乱れ、再生中の画像も乱れるに違いないからである。
【００１８】
【発明の効果】
本発明に係る圧縮動画像情報の伝送方法は、以上説明してきたような構成であるので、以下に記載する効果を奏する。
フレーム間圧縮動画の伝送において、受信パケットを受信できない受信エラー（伝送エラー）が発生するか、その頻度が所定値以上になると、送信側は、該受信エラーを受け取る以前よりも、同一パケットを送信する個数を多くする。従って、受信側がパケットを受け取れなくなる可能性を低減することができる。
それゆえ、受信側ではパケットを受信しながら再生する場合においても、再生画像がパケット欠落に起因する停止状態となることを低減し得るようにすることが可能である。
【図面の簡単な説明】
【図１】図１は、圧縮動画像情報の伝送システムのブロック図である。
【図２】図２は、本発明に係る圧縮動画像情報の伝送方法の実施の瞬間の一形態を示す概念図である。
【図３】図３は、本発明に係る圧縮動画像情報の伝送方法の実施の一形態を示す概念図である。
【図４】図４は、本発明に係る圧縮動画像情報の伝送方法の別の実施の一形態を示す概念図である。
【図５】図５は、圧縮動画像情報の伝送において、伝送エラーが発生する状態を示す模式図である。
【図６】図６は、本発明に係る圧縮動画像情報の伝送方法のさらに別の実施の一形態を示す概念図である。
【図７】図７は、本発明に係る圧縮動画像情報の伝送方法における欠落パケットの再送信方法の実施の一形態を示す概念図である。
【図８】図８は、本発明に係る圧縮動画像情報の伝送方法における欠落パケットの再送信方法の別の実施の一形態を示す概念図である。
【符号の説明】
１  送信側
２  受信側
３  記憶媒体
Ａ〜Ｍ、Ｔ  パケット
【図１】
2004350252.tif 000003
【図２】
2004350252.tif 000004
【図３】
2004350252.tif 000005
【図４】
2004350252.tif 000006
【図５】
2004350252.tif 000007
【図６】
2004350252.tif 000008
【図７】
2004350252.tif 000009
【図８】
2004350252.tif 000010